(57)【特許請求の範囲】
【請求項１】
ユーザ端末と、前記ユーザ端末からＷｅｂサイト上のトピックに対する感想を集計する感想集計サーバと、を有してなる感想表示システムであって、
前記感想集計サーバは、
前記ユーザ端末からトピックの表示要求を受けた場合、当該トピックを表示する第１の領域と、当該トピックに対する感想として、予め分類した感想内容のジャンルごとに、当該ジャンルの感想を受けた指標を数値化した感想度を入力させるための第２の領域と、を含む画面を前記ユーザ端末に送信するトピック表示部と、
トピックごとに、前記ユーザ端末により前記第２の領域において入力された感想度を集計し、感想度の集計結果を算出するとともに、集計結果の値が最も大きなジャンルと当該集計結果のレベルとを特定する感想集計部と、を有し、
前記トピック表示部は、前記ユーザ端末からトピックの表示要求を受けた場合、当該トピックに対して前記感想集計部にて特定された感想度の集計結果の値が最も大きなジャンルと当該集計結果のレベルとに応じたデータを表示する第３の領域を含む画面を前記ユーザ端末に送信する、感想表示システム。
【請求項２】
前記第２の領域は、前記ジャンルごとに一定領域が割り当てられており、当該ジャンルに割り当てられた一定領域をクリックした回数に応じた値が当該ジャンルの感想度になる、請求項１に記載の感想表示システム。
【請求項３】
前記トピック表示部は、前記第２の領域において、前記ジャンルに割り当てられた一定領域に、前記ユーザ端末から入力があると、当該ジャンルの現在の感想度をグラフ化したものをさらに表示する、請求項２に記載の感想表示システム。
【請求項４】
前記ジャンルは、トピックに対する感想内容を感情で分類したものである、請求項１から３のいずれか１項に記載の感想表示システム。
【請求項５】
前記データは、前記ジャンルと前記集計結果のレベルとを一意に表したイラストデータおよび文字データの少なくとも一方を含むものである、請求項１から４のいずれか１項に記載の感想表示システム。
【請求項６】
前記トピック表示部は、前記ジャンルごとに、前記感想集計部にて特定された感想度の集計結果の値が大きな上位一定数のトピックを選定し、選定したトピックを一覧表示する第４の領域を、前記第３の領域が含まれる画面にさらに含める、請求項１から５のいずれか１項に記載の感想表示システム。
【請求項７】
ユーザ端末と、前記ユーザ端末からＷｅｂサイト上のトピックに対する感想を集計する感想集計サーバと、を有してなる感想表示システムによる感想表示方法であって、
前記感想集計サーバが、前記ユーザ端末からトピックの表示要求を受けた場合、当該トピックを表示する第１の領域と、当該トピックに対する感想として、予め分類した感想内容のジャンルごとに、当該ジャンルの感想を受けた指標を数値化した感想度を入力させるための第２の領域と、を含む画面を前記ユーザ端末に送信するトピック表示ステップと、
前記感想集計サーバが、トピックごとに、前記ユーザ端末により前記第２の領域において入力された感想度を集計し、感想度の集計結果を算出するとともに、集計結果の値が最も大きなジャンルと当該集計結果のレベルとを特定する感想集計ステップと、を有し、
前記トピック表示ステップでは、前記ユーザ端末からトピックの表示要求を受けた場合、当該トピックに対して前記特定された感想度の集計結果の値が最も大きなジャンルと当該集計結果のレベルとに応じたデータを表示する第３の領域を含む画面を前記ユーザ端末に送信する、感想表示方法。
【請求項８】
前記第２の領域は、前記ジャンルごとに一定領域が割り当てられており、当該ジャンルに割り当てられた一定領域をクリックした回数に応じた値が当該ジャンルの感想度になる、請求項７に記載の感想表示方法。
【請求項９】
前記トピック表示ステップでは、前記第２の領域において、前記ジャンルに割り当てられた一定領域に、前記ユーザ端末から入力があると、当該ジャンルの現在の感想度をグラフ化したものをさらに表示する、請求項８に記載の感想表示方法。
【請求項１０】
前記ジャンルは、トピックに対する感想内容を感情で分類したものである、請求項７から９のいずれか１項に記載の感想表示方法。
【請求項１１】
前記データは、前記ジャンルと前記集計結果のレベルとを一意に表したイラストデータおよび文字データの少なくとも一方を含むものである、請求項７から１０のいずれか１項に記載の感想表示方法。
【請求項１２】
前記トピック表示ステップでは、前記ジャンルごとに、前記特定された感想度の集計結果の値が大きな上位一定数のトピックを選定し、選定したトピックを一覧表示する第４の領域を、前記第３の領域が含まれる画面にさらに含める、請求項７から１１のいずれか１項に記載の感想表示方法。
【請求項１３】
ユーザ端末からＷｅｂサイト上のトピックに対する感想を集計する感想集計サーバであって、
前記ユーザ端末からトピックの表示要求を受けた場合、当該トピックを表示する第１の領域と、当該トピックに対する感想として、予め分類した感想内容のジャンルごとに、当該ジャンルの感想を受けた指標を数値化した感想度を入力させるための第２の領域と、を含む画面を前記ユーザ端末に送信するトピック表示部と、
トピックごとに、前記ユーザ端末により前記第２の領域において入力された感想度を集計し、感想度の集計結果を算出するとともに、集計結果の値が最も大きなジャンルと当該集計結果のレベルとを特定する感想集計部と、を有し、
前記トピック表示部は、前記ユーザ端末からトピックの表示要求を受けた場合、当該トピックに対して前記感想集計部にて特定された感想度の集計結果の値が最も大きなジャンルと当該集計結果のレベルとに応じたデータを表示する第３の領域を含む画面を前記ユーザ端末に送信する、感想集計サーバ。
【請求項１４】
前記第２の領域は、前記ジャンルごとに一定領域が割り当てられており、当該ジャンルに割り当てられた一定領域をクリックした回数に応じた値が当該ジャンルの感想度になる、請求項１３に記載の感想集計サーバ。
【請求項１５】
前記トピック表示部は、前記第２の領域において、前記ジャンルに割り当てられた一定領域に、前記ユーザ端末から入力があると、当該ジャンルの現在の感想度をグラフ化したものをさらに表示する、請求項１４に記載の感想集計サーバ。
【請求項１６】
前記ジャンルは、トピックに対する感想内容を感情で分類したものである、請求項１３から１５のいずれか１項に記載の感想集計サーバ。
【請求項１７】
前記データは、前記ジャンルと前記集計結果のレベルとを一意に表したイラストデータおよび文字データの少なくとも一方を含むものである、請求項１３から１６のいずれか１項に記載の感想集計サーバ。
【請求項１８】
前記トピック表示部は、前記ジャンルごとに、前記感想集計部にて特定された感想度の集計結果の値が大きな上位一定数のトピックを選定し、選定したトピックを一覧表示する第４の領域を、前記第３の領域が含まれる画面にさらに含める、請求項１３から１７のいずれか１項に記載の感想集計サーバ。
【請求項１９】
ユーザ端末からＷｅｂサイト上のトピックに対する感想を集計するコンピュータに、
前記ユーザ端末からトピックの表示要求を受けた場合、当該トピックを表示する第１の領域と、当該トピックに対する感想として、予め分類した感想内容のジャンルごとに、当該ジャンルの感想を受けた指標を数値化した感想度を入力させるための第２の領域と、を含む画面を前記ユーザ端末に送信するトピック表示ステップと、
トピックごとに、前記ユーザ端末により前記第２の領域において入力された感想度を集計し、感想度の集計結果を算出するとともに、集計結果の値が最も大きなジャンルと当該集計結果のレベルとを特定する感想集計ステップと、を実行させ、
前記トピック表示ステップでは、前記ユーザ端末からトピックの表示要求を受けた場合、当該トピックに対して前記特定された感想度の集計結果の値が最も大きなジャンルと当該集計結果のレベルとに応じたデータを表示する第３の領域を含む画面を前記ユーザ端末に送信する、感想集計プログラム。
【請求項２０】
前記第２の領域は、前記ジャンルごとに一定領域が割り当てられており、当該ジャンルに割り当てられた一定領域をクリックした回数に応じた値が当該ジャンルの感想度になる、請求項１９に記載の感想集計プログラム。
【請求項２１】
前記トピック表示ステップでは、前記第２の領域において、前記ジャンルに割り当てられた一定領域に、前記ユーザ端末から入力があると、当該ジャンルの現在の感想度をグラフ化したものをさらに表示する、請求項２０に記載の感想集計プログラム。
【請求項２２】
前記ジャンルは、トピックに対する感想内容を感情で分類したものである、請求項１９から２１のいずれか１項に記載の感想集計プログラム。
【請求項２３】
前記データは、前記ジャンルと前記集計結果のレベルとを一意に表したイラストデータおよび文字データの少なくとも一方を含むものである、請求項１９から２２のいずれか１項に記載の感想集計プログラム。
【請求項２４】
前記トピック表示ステップでは、前記ジャンルごとに、前記特定された感想度の集計結果の値が大きな上位一定数のトピックを選定し、選定したトピックを一覧表示する第４の領域を、前記第３の領域が含まれる画面にさらに含める、請求項１９から２３のいずれか１項に記載の感想集計プログラム。
【発明の詳細な説明】
【技術分野】
【０００１】
本発明は、Ｗｅｂサイト上のトピックに対する感想を表示するための感想表示システム、感想表示方法、感想集計サーバ、感想集計プログラムに関する。
【０００２】
なお、本明細書では、トピックとは、Ｗｅｂサイト上で閲覧可能なコンテンツ、または、これらコンテンツの要約、題目、表題等であるものとする。また、コンテンツとは、例えば、ニュースサイト上のニュース記事や、旅行サイト上のツアー・宿泊施設の情報等であるものとする。
【背景技術】
【０００３】
Ｗｅｂサイトの中には、トピックを一覧表示し、いずれかのトピックが選択されると、そのトピックを表示するものがある。
【０００４】
この種のＷｅｂサイトに関する技術として、例えば、特許文献１には、実際の閲覧回数等に応じてトピックをランク付けし、そのランキングを表示することが開示されている。
【特許文献１】特開２００６−２６０３３７号公報
【発明の開示】
【発明が解決しようとする課題】
【０００５】
特許文献１に開示された技術によれば、トピックを閲覧する前の段階で、そのトピックが他のユーザによりどの程度閲覧されているかを把握することができる。
【０００６】
しかしながら、トピックの内容を閲覧すると、どのような感想を受けるかは、実際に閲覧してみないとわからないという課題がある。
【０００７】
そこで、本発明の目的は、トピックの内容を実際に閲覧する前の段階で、そのトピックを閲覧した場合にどのような感想を受けるか把握することができる感想表示システム、感想表示方法、感想集計サーバ、感想集計プログラムを提供することにある。
【課題を解決するための手段】
【０００８】
上記目的を達成するために本発明の感想表示システムは、
ユーザ端末と、前記ユーザ端末からＷｅｂサイト上のトピックに対する感想を集計する感想集計サーバと、を有してなる感想表示システムであって、
前記感想集計サーバは、
前記ユーザ端末からトピックの表示要求を受けた場合、当該トピックを表示する第１の領域と、当該トピックに対する感想として、予め分類した感想内容のジャンルごとに、当該ジャンルの感想を受けた指標を数値化した感想度を入力させるための第２の領域と、を含む画面を前記ユーザ端末に送信するトピック表示部と、
トピックごとに、前記ユーザ端末により前記第２の領域において入力された感想度を集計し、感想度の集計結果を算出するとともに、集計結果の値が最も大きなジャンルと当該集計結果のレベルとを特定する感想集計部と、を有し、
前記トピック表示部は、前記ユーザ端末からトピックの表示要求を受けた場合、当該トピックに対して前記感想集計部にて特定された感想度の集計結果の値が最も大きなジャンルと当該集計結果のレベルとに応じたデータを表示する第３の領域を含む画面を前記ユーザ端末に送信する、ことを特徴とする。
【０００９】
上記目的を達成するために本発明の感想表示方法は、
ユーザ端末と、前記ユーザ端末からＷｅｂサイト上のトピックに対する感想を集計する感想集計サーバと、を有してなる感想表示システムによる感想表示方法であって、
前記感想集計サーバが、前記ユーザ端末からトピックの表示要求を受けた場合、当該トピックを表示する第１の領域と、当該トピックに対する感想として、予め分類した感想内容のジャンルごとに、当該ジャンルの感想を受けた指標を数値化した感想度を入力させるための第２の領域と、を含む画面を前記ユーザ端末に送信するトピック表示ステップと、
前記感想集計サーバが、トピックごとに、前記ユーザ端末により前記第２の領域において入力された感想度を集計し、感想度の集計結果を算出するとともに、集計結果の値が最も大きなジャンルと当該集計結果のレベルとを特定する感想集計ステップと、を有し、
前記トピック表示ステップでは、前記ユーザ端末からトピックの表示要求を受けた場合、当該トピックに対して前記特定された感想度の集計結果の値が最も大きなジャンルと当該集計結果のレベルとに応じたデータを表示する第３の領域を含む画面を前記ユーザ端末に送信する、ことを特徴とする。
【００１０】
上記目的を達成するために本発明の感想集計サーバは、
ユーザ端末からＷｅｂサイト上のトピックに対する感想を集計する感想集計サーバであって、
前記ユーザ端末からトピックの表示要求を受けた場合、当該トピックを表示する第１の領域と、当該トピックに対する感想として、予め分類した感想内容のジャンルごとに、当該ジャンルの感想を受けた指標を数値化した感想度を入力させるための第２の領域と、を含む画面を前記ユーザ端末に送信するトピック表示部と、
トピックごとに、前記ユーザ端末により前記第２の領域において入力された感想度を集計し、感想度の集計結果を算出するとともに、集計結果の値が最も大きなジャンルと当該集計結果のレベルとを特定する感想集計部と、を有し、
前記トピック表示部は、前記ユーザ端末からトピックの表示要求を受けた場合、当該トピックに対して前記感想集計部にて特定された感想度の集計結果の値が最も大きなジャンルと当該集計結果のレベルとに応じたデータを表示する第３の領域を含む画面を前記ユーザ端末に送信する、ことを特徴とする。
【００１１】
上記目的を達成するために本発明の感想集計プログラムは、
ユーザ端末からＷｅｂサイト上のトピックに対する感想を集計するコンピュータに、
前記ユーザ端末からトピックの表示要求を受けた場合、当該トピックを表示する第１の領域と、当該トピックに対する感想として、予め分類した感想内容のジャンルごとに、当該ジャンルの感想を受けた指標を数値化した感想度を入力させるための第２の領域と、を含む画面を前記ユーザ端末に送信するトピック表示ステップと、
トピックごとに、前記ユーザ端末により前記第２の領域において入力された感想度を集計し、感想度の集計結果を算出するとともに、集計結果の値が最も大きなジャンルと当該集計結果のレベルとを特定する感想集計ステップと、を実行させ、
前記トピック表示ステップでは、前記ユーザ端末からトピックの表示要求を受けた場合、当該トピックに対して前記特定された感想度の集計結果の値が最も大きなジャンルと当該集計結果のレベルとに応じたデータを表示する第３の領域を含む画面を前記ユーザ端末に送信する、ことを特徴とする。
【発明の効果】
【００１２】
本発明によれば、感想集計サーバは、ユーザ端末からトピックの表示要求を受けた場合、そのトピックを表示する第１の領域と、そのトピックに対する感想として、予め分類した感想内容のジャンルごとに感想度を入力させるための第２の領域と、そのトピックに対する過去の感想度の集計結果を算出した値が最も大きなジャンルとその値とに応じたデータを表示する第３の領域と、を含むトピック表示画面を、表示要求元のユーザ端末に送信する。
【００１３】
そのため、ユーザ端末のユーザは、トピック表示画面上の第３の領域のデータを見ることにより、トピックの内容を実際に閲覧する前の段階で、そのトピックを閲覧した場合にどのような感想を受けるか把握することができるという効果が得られる。
【発明を実施するための最良の形態】
【００１４】
以下に、本発明を実施するための最良の形態について図面を参照して説明する。
【００１５】
図１に示すように、本実施形態の感想表示システムは、ユーザ端末１０1〜１０nと、ユーザ端末１０1〜１０nからＷｅｂサイト上のトピックに対する感想を集計する感想集計サーバ２０と、を有している。なお、ユーザ端末１０1〜１０nと感想集計サーバ２０とは、ネットワーク３０を介して接続されている。
【００１６】
感想集計サーバ２０は、制御部２１と、記憶部２４と、送受信部２９と、を有している。また、制御部２１は、トピック表示部２２と、感想集計部２３と、を有している。また、記憶部２４は、トピックＤＢ２５と、感想度ＤＢ２６と、集計結果レベル対応テーブル２７と、集計感想度対応テーブル２８と、を有している。
【００１７】
トピック表示部２２は、複数のユーザ端末１０1〜１０nのいずれかからトピックの表示要求を送受信部２９にて受けると、例えば、図２に示すように、少なくとも４つの領域２０１〜２０４を含むトピック表示画面を作成し、送受信部２９からネットワーク３０を介して表示要求元のユーザ端末１０へと送信する。なお、本実施形態では、図２に示すように、トピックが、複数の配信元からの同一の話題であるニュースサイト上のニュース記事である場合を例に挙げるが、これに限定されない。
【００１８】
図２のようなトピック表示画面上の領域２０１〜２０４は、感想集計サーバ２０内の各構成要素による次の動作によって実現される。
（１）領域２０１
領域２０１は、表示要求を受けたトピックの内容を表示する領域である。
【００１９】
トピック表示部２２は、表示要求を受けたトピックをトピックＤＢ２５から抽出して、領域２０１に表示する。トピックＤＢ２５は、図３に示すように、トピック識別子と、トピックの内容と、後述する集計感想度と、を組として格納する。
（２）領域２０２
領域２０２は、表示要求を受けたトピックに対する感想として、予め分類した感想内容のジャンルごとに、そのジャンルの感想を受けた指標を数値化した感想度を入力させるための領域である。
【００２０】
以下では、ジャンルは、図２に示すように、感想内容を、嬉しい、怒り、哀しい、呆れる、驚きといった感情で分類したものであるとして説明する。
【００２１】
なお、ユーザ端末１０により領域２０２において入力された感想度は、ネットワーク３０を介して感想集計サーバ２０の送受信部２９に受信され、送受信部２９により感想度ＤＢ２６に格納される。感想度ＤＢ２６は、図４に示すように、トピックを特定するトピック識別子と、５つの感情の分類を特定するジャンル識別子（Ｊ００Ａ〜Ｊ００Ｅ）と、感想度と、感想度を入力したユーザを特定するユーザ識別子と、を組として格納する。なお、図４では、感想度の値に応じて分類したレベル（１〜３）を感想度として表しているが、これに限定されない。
【００２２】
また、領域２０２には、各感情のジャンルに対し、その感情のイラストデータと文字データとを含む一定領域が割り当てられている。そして、ユーザが、ある感情のジャンルに割り当てられた一定領域（例えば、イラストデータ部分や文字データ部分）をクリックすると、クリックした回数に応じた値がそのジャンルの感想度になるようになっている。
【００２３】
また、トピック表示部２２は、領域２０２において、ある感情のジャンルに割り当てられた一定領域がクリックされると、図５に示すように、そのジャンルの現在の感想度をグラフ化したものを表示する。
（３）領域２０３
領域２０３は、表示要求を受けたトピックに対する過去の感想度の集計結果を算出した値が最も大きなジャンルとその集計結果の値とに応じたデータを表示する領域である。
【００２４】
感想集計部２３は、トピックごとに、感想度ＤＢ２６に格納された感想度を集計し、感想度の集計結果を算出する。
【００２５】
さらに、感想集計部２３は、トピックごとに、感想度の集計結果の値が最も大きなジャンルとその集計結果のレベルとを特定し、特定したジャンルと集計結果のレベルとを表す集計感想度を、集計結果レベル対応テーブル２７から抽出して、図３に示すようにトピックＤＢ２５に格納する。集計結果レベル対応テーブル２７は、図６に示すように、ジャンルと集計結果のレベルとから、集計感想度が一意に定められるテーブルである。なお、図６では、ジャンルごとに割り当てられた記号（嬉しい；Ａ、怒り；Ｂ、哀しい；Ｃ、呆れる；Ｄ、驚き；Ｅ）と、感想度の集計結果のレベル（１〜３）と、を組み合せたものを集計感想度としているが、これに限定されない。
【００２６】
なお、感想集計部２３による集計処理は、感想度ＤＢ２６が更新されたタイミングまたは一定期間ごとのタイミングで行われる。
【００２７】
トピック表示部２２は、表示要求を受けたトピックに対する集計感想度をトピックＤＢ２５から抽出し、さらに、その集計感想度に対応するデータを集計感想度対応テーブル２８から抽出して、領域２０３に表示する。集計感想度対応テーブル２８は、図７に示すように、集計感想度と、イラストデータと、を組として格納する。なお、図７では、「嬉しい」というジャンルにおいて、３つのレベルの集計感想度に対応するイラストデータが示されている。なお、本実施形態においては、「嬉しい」、「怒り」、「哀しい」、「呆れる」、「驚き」という５つの感情のジャンルの各々において、３つのレベルの集計感想度に対応するイラストデータが設定されている。すなわち、本実施形態においては、１５種類の集計感想度とイラストデータが同様に対応付けされている。また、図７では、集計感想度に対応するデータがイラストデータになっているが、イラストデータおよび文字データの少なくとも一方を含むものであれば良い。また、イラストデータは、感想度集計サーバ２０の記憶部２４に記憶されたイラストデータのＵＲＬ等の場所情報であっても良い。
（４）領域２０４
領域２０４は、ジャンルごとに、感想度の集計結果の値が大きな上位一定数のトピックを一覧表示する領域である。
【００２８】
トピック表示部２２は、感想度ＤＢ２６を検索して、ジャンルごとに、上位のトピックを一定数選定し、選定したトピックを領域２０４に一覧表示する。なお、図２では、各ジャンルの上位３つのトピックを一覧表示しているが、これに限定されない。なお、一覧表示された各トピック（の題目もしくは内容）の近辺に領域２０３を配置し、表示させてもよい。
【００２９】
以上、感想集計サーバ２０内の各構成要素について説明したが、ユーザ端末１０1〜１０nは、感想集計サーバ２０から送信されてくる画面を表示し、その画面上で操作を行う機能を備えるものであればいかなる端末をも使用できるので、詳細な説明は省略する。
【００３０】
以下、本実施形態の全体動作について説明する。ここでは、ユーザ識別子「Ｕ００１」のユーザ端末１０1からトピックの表示要求があった場合の動作について説明する。
【００３１】
ユーザ端末１０1は、ネットワーク３０を介して感想集計サーバ２０にアクセスし、例えば、トピック識別子「Ｔ００１」を送信して、トピック識別子「Ｔ００１」のトピックの表示要求を行う。
【００３２】
送受信部２９でこれを受けて、感想集計サーバ２０においては、トピック表示部２２は、図３のトピックＤＢ２５から、トピック識別子「Ｔ００１」に対応する、トピック「芸能人の・・・」と集計感想度「Ａ２」を抽出し、このうちトピック「芸能人の・・・」を、図２の領域２０１に表示するデータを、ＨＴＭＬ等のユーザ端末１０1のブラウザに表示可能な形式で作成する。さらに、トピック表示部２２は、図７の集計感想度対応テーブル２８から、集計感想度「Ａ２」に対応するイラストデータを抽出し、図２の領域２０３に表示するデータを作成する。さらに、トピック表示部２２は、ジャンルごとに感想度を入力させるための図２の領域２０２を表示するデータを作成する。さらに、トピック表示部２２は、感想度ＤＢ２６を検索して、ジャンルごとに、上位３つのトピックを選定し、選定したトピックを図２の領域２０４に一覧表示するデータを作成する。以上のようにして、トピック表示部２２は、４つの領域２０１〜２０４を含むトピック表示画面を作成し、送受信部２９からネットワーク３０を介して表示要求元のユーザ端末１０1へと送信する。
【００３３】
ユーザ端末１０1は、トピック表示画面上の領域２０２において、例えば、「嬉しい」というジャンルが割当てられた一定領域をクリックして、感想度を入力する。この場合、図５に示すように、「嬉しい」というジャンルの文字データの代わりに、クリック回数に応じた現在の感想度の値をグラフ化したものが表示される。
【００３４】
ユーザ端末１０1は、「嬉しい」というジャンルにのみ感想度を入力して、感想度の入力が終了したとする。この場合、トピック識別子「Ｔ００１」と、「嬉しい」というジャンルのジャンル識別子「Ｊ００Ａ」と、感想度と、ユーザ識別子「Ｕ００１」と、を組として、ネットワーク３０を介して感想集計サーバ２０へと送信する。なお、複数のジャンルへ感想度を入力した場合、上記の組はジャンルごとに複数送信されることになる。また、ユーザ識別子は、クッキー機能を利用して送信しても良い。また、感想度は、感想度のクリック数の値そのままでも良いし、感想度のクリック数の値に応じて分類したレベル（１〜３）でも良い。
【００３５】
これを受けて、感想集計サーバ２０においては、送受信部２９は、トピック識別子「Ｔ００１」と、ジャンル識別子「Ｊ００Ａ」と、感想度と、ユーザ識別子「Ｕ００１」と、を組として、図４の感想度ＤＢ２６に格納する。なお、図４では、感想度を、感想度の値に応じて分類したレベル「３」としている。
【００３６】
なお、感想度ＤＢ２６への格納時に、すでに、少なくとも、トピック識別子「Ｔ００１」と、ユーザ識別子「Ｕ００１」と、が同一の組が格納されていれば、新たな感想度は消去する、古い感想度を残して新たな感想度を追加する、古い感想度を消去して新たな感想度を追加する、等の処理を行う。
【００３７】
ここで、感想度ＤＢ２６が更新されたため、感想集計部２３は、トピック識別子「Ｔ００１」のトピックに対する感想度の集計処理を行う。なお、集計処理は、一定期間ごとに行っても良い。
【００３８】
この場合、感想集計部２３は、感想度ＤＢ２６から、トピック識別子「Ｔ００１」のトピックに対する感想度を集計し、感想度の集計結果を算出する。ここでの算出は、例えば、感想度の合計値を算出する、感想度の平均値を算出する、感想度の中央値を算出する、感想度が格納されている組の数を算出する等が考えられる。また、算出後に算出結果の値に応じて分類したレベル（１〜３）に換算しても良い。また、感想度がクリック数の場合はその数値を計算し、感想度がレベルの場合は該当するレベルを数値と見立てて計算しても良い。
【００３９】
さらに、感想集計部２３は、トピック識別子「Ｔ００１」のトピックに対する感想度の集計結果を算出した値が最も大きなジャンル（Ａ〜Ｅ）とその集計結果のレベル（１〜３）とを特定する。そして、感想集計部２３は、特定されたジャンルと集計結果のレベルとを基に、図６の集計結果レベル対応テーブル２７から集計感想度を抽出する。
【００４０】
この時点で、トピックＤＢ２５では、トピック識別子「Ｔ００１」のトピックに対する集計感想度は「Ａ２」であるが、集計感想度として「Ａ３」が抽出された場合は、感想集計部２３は、トピックＤＢ２５の集計感想度を更新する。
【００４１】
もし、トピック識別子「Ｔ００１」のトピックに対する集計感想度が「Ａ３」に更新された場合、以降に表示要求を受けると、集計感想度「Ａ３」に対応するイラストデータが図２の領域２０３に表示されることになる。
【００４２】
上述したように本実施形態においては、感想集計サーバ２０は、ユーザ端末１０からトピックの表示要求を受けた場合、そのトピックを表示する領域２０１と、そのトピックに対する感想として、予め分類した感想内容のジャンルごとに感想度を入力させるための領域２０２と、そのトピックに対する過去の感想度の集計結果を算出した値が最も大きなジャンルとその値とを表す集計感想度に応じたデータを表示する領域２０３と、を含むトピック表示画面を、表示要求元のユーザ端末１０に送信する。
【００４３】
そのため、ユーザ端末１０のユーザは、トピック表示画面上の領域２０３のデータを見ることにより、トピックの内容を実際に閲覧する前の段階で、そのトピックを閲覧した場合にどのような感想を受けるか把握することができる。
【００４４】
また、領域２０２では、ジャンルごとに割り当てられた一定領域をクリックした回数に応じた値が、そのジャンルの感想度になるようになっている。そのため、ユーザ端末１０のユーザは、領域２０２において、ジャンルごとに割り当てられた一定領域をクリックするだけで、簡単に感想度を入力することができる。
【００４５】
また、感想集計サーバ２０は、領域２０２において、ジャンルに割り当てられた一定領域に、そのジャンルの現在の感想度をグラフ化したものを表示する。そのため、ユーザ端末１０のユーザは、現在の感想度を視覚的に把握することができる。
【００４６】
また、ジャンルは、トピックに対する感想内容を感情で分類している。そのため、ユーザ端末１０のユーザは、そのトピックを閲覧した場合にどういった感情になるかという観点で、そのトピックに対する感想を把握することができる。
【００４７】
また、集計感想度に応じたデータは、イラストデータおよび文字データの少なくとも一方を含むものである。そのため、ユーザ端末１０のユーザは、そのトピックを閲覧した感想を視覚的に把握することができる。
【００４８】
また、感想集計サーバ２０は、ジャンルごとに、感想度の集計結果の値が大きな上位一定数のトピックを選定し、選定したトピックを一覧表示する領域２０４をトピック表示画面に含める。そのため、ユーザ端末１０のユーザは、ジャンルごとに、感想度の集計結果の値が大きな上位のトピックを把握することができる。
【００４９】
なお、本実施形態においては、例えば、ニュースサイトでは、ニュースの各ジャンル（政治、芸能、気象等）のニュース記事や、本日の注目されるニュース記事がトピックとして設定されるが、設定されるトピックが変更される場合、トピックＤＢ２５および感想度ＤＢ２６の内容はリセットしても良い。
【００５０】
また、本実施形態においては、トピックが、複数の配信元からの同一の話題のニュース記事としたが、同一ジャンルのリンク集であっても良い。
【００５１】
また、本実施形態においては、１つのトピック表示画面に、領域２０１〜２０４を表示しているが、領域２０１，２０２と領域２０３，２０４とを別々の画面に表示しても良い。すなわち、トピック表示部２２が、ある画面にトピックの題目と領域２０３を表示させ、ユーザ端末からそのトピックの内容の表示要求を受けた場合、そのトピックの内容である領域２０１とそのトピックの感想度を入力するための領域２０２を別の画面に表示させても良い。または、トピック表示部２２が、ある画面に領域２０３が各トピックの題目近辺に配置されたトピックを一覧表示する領域２０４を表示させ、ユーザ端末からいずれかのトピックの内容の表示要求を受けた場合、そのトピックの内容である領域２０１とそのトピックの感想度を入力するための領域２０２を別の画面に表示させても良い。
【００５２】
また、感想集計サーバ２０は、上述のように専用のハードウェアにより実現されるもの以外に、その機能を実現するためのプログラムを、コンピュータ読み取り可能な記録媒体に記録して、この記録媒体に記録されたプログラムをコンピュータに読み込ませ、実行するものであってもよい。コンピュータ読み取り可能な記録媒体とは、フロッピーディスク、光磁気ディスク、ＣＤ−ＲＯＭ等の記録媒体、コンピュータに内蔵されるハードディスク装置等の記憶装置を指す。さらに、コンピュータ読み取り可能な記録媒体は、インターネットを介してプログラムを送信する場合のように、短時間の間、動的にプログラムを保持するもの（伝送媒体もしくは伝送波）、その場合のサーバとなるコンピュータ内部の揮発性メモリのように、一定時間プログラムを保持しているものも含む。
【図面の簡単な説明】
【００５３】
【図１】本発明の一実施形態の感想表示システムの構成を示すブロック図である。
【図２】図１に示したトピック表示部で作成されるトピック表示画面の一例を示す図である。
【図３】図１に示したトピックＤＢの一例を示す図である。
【図４】図１に示した感想度ＤＢの一例を示す図である。
【図５】図２に示したトピック表示画面上の領域２０２を説明する図である。
【図６】図１に示した集計結果レベル対応テーブルの一例を示す図である。
【図７】図１に示した集計感想度対応テーブルの一例を示す図である。
【符号の説明】
【００５４】
１０1〜１０n    ユーザ端末
２０    感想集計サーバ
３０    ネットワーク
２１    制御部
２２    トピック表示部
２３    感想集計部
２４    記憶部
２５    トピックＤＢ
２６    感想度ＤＢ
２７    集計結果レベル対応テーブル
２８    集計感想度対応テーブル
２９    送受信部
【図１】
0004868247.tif 000002
【図２】
0004868247.tif 000003
【図３】
0004868247.tif 000004
【図４】
0004868247.tif 000005
【図５】
0004868247.tif 000006
【図６】
0004868247.tif 000007
【図７】
0004868247.tif 000008